(57)【要約】【課題】本発明は、血圧測定部を小型軽量化し、かつ、無線送信するデータ容量を小さくすることのできる血圧計及び血圧計の制御方法の提供を目的とする。【解決手段】本発明に係る血圧計は、血圧測定部に備わるカフ、圧力可変手段、圧力検出手段、脈波検出手段及び血圧値演算手段で血圧値を測定し、測定した血圧値を、血圧測定部とは分離して配置されている血圧情報保管部に無線で送信し、当該血圧情報保管部に記憶することを特徴とする。【選択図】図１
2007014571.tif 000002
【特許請求の範囲】
【請求項１】
被検体の一部に装着される血圧測定部と、前記血圧測定部と分離して配置される血圧情報保管部と、を備える血圧計であって、
前記血圧測定部は、
被検体の一部を押圧するカフと、
前記カフが前記被検体の一部を押圧する圧力を増加／減少させる圧力可変手段と、
前記カフが前記被検体の一部を押圧する圧力の押圧圧力値を検出する圧力検出手段と、
前記被検体の一部の動脈の脈波を検出する脈波検出手段と、
前記圧力検出手段の検出する押圧圧力値及び前記脈波検出手段の検出する脈波から血圧値を算出する血圧値演算手段と、
前記血圧値演算手段の算出した前記血圧値を血圧情報として無線送信する血圧情報無線送信手段と、を備え、
前記血圧情報保管部は、
前記血圧情報無線送信手段の無線送信した前記血圧情報を受信する血圧情報無線受信手段と、
前記血圧情報無線受信手段の受信した前記血圧情報を記憶する血圧情報記憶手段と、を備えることを特徴とする血圧計。
【請求項２】
前記血圧値演算手段は、脈拍数をさらに算出し、
前記血圧情報が前記脈拍数を含むことを特徴とする請求項１に記載の血圧計。
【請求項３】
前記血圧情報保管部は、前記血圧情報記憶手段の記憶した前記血圧情報を表示する表示手段をさらに備えることを特徴とする請求項１又は２に記載の血圧計。
【請求項４】
前記血圧測定部を複数備え、
各血圧測定部の前記血圧情報無線送信手段は、当該血圧測定部の前記血圧値演算手段が算出した血圧値を血圧情報として無線送信し、
前記血圧情報無線受信手段は、前記血圧情報無線送信手段のそれぞれから無線送信された前記血圧情報を受信し、
前記血圧情報記憶手段は、前記血圧情報無線受信手段の受信した前記血圧情報を記憶することを特徴とする請求項１から３に記載のいずれかの血圧計。
【請求項５】
前記血圧測定部は、前記カフ、前記圧力可変手段、前記圧力検出手段、前記脈波検出手段及び前記血圧値演算手段に動作を開始させるタイマーをさらに備えることを特徴とする請求項１から４に記載のいずれかの血圧計。
【請求項６】
前記血圧情報保管部は、前記カフ、前記圧力可変手段、前記圧力検出手段、前記脈波検出手段及び前記血圧値演算手段に動作を開始させる開始信号を発生させる開始信号発生手段と、
前記開始信号発生手段の発生させた前記開始信号を無線送信する開始信号送信手段とをさらに備え、
前記血圧測定部は、前記開始信号送信手段の無線送信した前記開始信号を受信する開始信号受信手段をさらに備え、
前記開始信号受信手段の受信した前記開始信号により、前記カフ、前記圧力可変手段、前記圧力検出手段、前記脈波検出手段及び前記血圧値演算手段が動作を開始することを特徴とする請求項１から５に記載のいずれかの血圧計。
【請求項７】
前記血圧情報保管部は、前記カフ、前記圧力可変手段、前記圧力検出手段、前記脈波検出手段及び前記血圧値演算手段に動作を停止させる停止信号を発生させる停止信号発生手段と、
前記停止信号発生手段の発生させた前記停止信号を無線送信する停止信号送信手段とをさらに備え、
前記血圧測定部は、前記停止信号送信手段の無線送信した前記停止信号を受信する停止信号受信手段をさらに備え、
前記停止信号受信手段の受信した前記停止信号により、前記カフ、前記圧力可変手段、前記圧力検出手段、前記脈波検出手段及び前記血圧値演算手段が動作を停止することを特徴とする請求項１から６に記載のいずれかの血圧計。
【請求項８】
前記血圧測定部は、前記カフを外耳へ固定する装着機構をさらに備えることを特徴とする請求項１から７に記載のいずれかの血圧計。
【請求項９】
被検体の一部に装着される血圧測定部と、前記血圧測定部と分離して配置される血圧情報保管部と、を備える血圧計の制御方法であって、
前記血圧測定部が、被検体の一部をカフで押圧し、前記カフが前記被検体の一部を押圧する圧力を圧力可変手段で増加／減少させ、前記カフが前記被検体の一部を押圧する圧力の押圧圧力値を圧力検出手段で検出し、前記被検体の一部の動脈の脈波を脈波検出手段で検出し、検出した前記押圧圧力値及び前記脈波から血圧値演算手段で血圧値を算出する血圧値測定手順と、
前記血圧測定部が、前記血圧値測定手順で算出した前記血圧値を血圧情報として血圧情報無線送信手段で無線送信する血圧情報無線送信手順と、
前記血圧情報保管部が、前記血圧情報無線送信手順で無線送信した前記血圧情報を血圧情報無線受信手段で受信する血圧情報無線受信手順と、
前記血圧情報保管部が、前記血圧情報無線受信手順で受信した前記血圧情報を血圧情報記憶手段で記憶する血圧情報記憶手順と、を有することを特徴とする血圧計の制御方法。
【請求項１０】
前記血圧情報保管部が、前記カフ、前記圧力可変手段、前記圧力検出手段、前記脈波検出手段及び前記血圧値演算手段に動作を開始させる開始信号を開始信号発生手段で発生させる開始信号発生手順と、
前記血圧情報保管部が、前記開始信号発生手順で発生させた前記開始信号を開始信号送信手段で無線送信する開始信号送信手順と、
前記血圧測定部が、前記開始信号送信手順で無線送信した前記開始信号を開始信号受信手段で受信する開始信号受信手順と、
前記血圧測定部が、前記開始信号受信手順で受信した前記開始信号により、前記カフ、前記圧力可変手段、前記圧力検出手段、前記脈波検出手段及び前記血圧値演算手段に動作を開始させる血圧値測定開始手順と、を前記血圧値測定手順の前にさらに有することを特徴とする請求項９に記載の血圧計の制御方法。
【請求項１１】
前記血圧情報保管部が、前記カフ、前記圧力可変手段、前記圧力検出手段、前記脈波検出手段及び前記血圧値演算手段に動作を停止させる停止信号を停止信号発生手段で発生させる停止信号発生手順と、
前記血圧情報保管部が、前記停止信号発生手順で発生させた前記停止信号を停止信号送信手段で無線送信する停止信号送信手順と、
前記血圧測定部が、前記停止信号送信手順で無線送信した前記停止信号を停止信号受信手段で受信する停止信号受信手順と、
前記血圧測定部が、前記停止信号受信手順で受信した前記停止信号により、前記カフ、前記圧力可変手段、前記圧力検出手段、前記脈波検出手段及び前記血圧値演算手段に動作を停止させ、前記血圧値測定手順を停止する血圧値測定停止手順と、をさらに有することを特徴とする請求項９又は１０に記載の血圧計の制御方法。
【発明の詳細な説明】
【技術分野】
【０００１】
本発明は、被検体の一部で血圧値を測定する血圧計及び血圧計の制御方法に関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧値を始めとした各種の生体情報の測定装置が開発されている。
【０００３】
日常生活を妨げないで継続的に血圧値を測定することが可能となる生体情報の測定装置として、外耳道又は外耳中の他の部位に挿入されて常時装着する患者モニタ装置がある（例えば、特許文献１参照。）。これは、脈拍、脈波、心電、体温、動脈血酸素飽和度、及び血圧値などを被検体内へ放射した赤外光、可視光の散乱光の受光量から算出するものである。この患者モニタ装置は、無線通信又は赤外線光等の光通信を介して測定データを医療機関へ無線送信する。
【０００４】
一方、血圧値の測定に関しては、血管の脈動波形による血圧測定装置が、他の方式であるカフ振動法や容積補償法などによる血圧測定装置（例えば、非特許文献１参照。）と並んで、有力な血圧値の測定方法として認められている。
【特許文献１】特開平９−１２２０８３号公報
【非特許文献１】山越  憲一、戸川  達男  ：  「生体センサと計測装置」日本エム・イー学会編／ＭＥ教科書シリーズ  Ａ−１、３９頁〜５２頁
【発明の開示】
【発明が解決しようとする課題】
【０００５】
上記のように、日常生活を妨げないで継続的に血圧値を測定する血圧計が提案されている。しかし、上記の患者モニタ装置は、血圧値を測定する具体的な構成は示されていないので、血圧値が測定できない。また、仮に血圧値を測定するとしても、測定内容が多いので、被検体に装着して血圧値を測定する血圧測定部が重くなる問題があった。さらに、測定内容の多さに伴ってデータ容量が大きくなるので、測定データを無線送信する際のエラーが発生しやくなるという問題があった。
【０００６】
そこで、本発明は、血圧測定部を小型軽量化し、かつ、無線送信するデータ容量を小さくすることのできる血圧計及び血圧計の制御方法の提供を目的とする。
【課題を解決するための手段】
【０００７】
本発明に係る血圧計は、血圧測定部に備わるカフ、圧力可変手段、圧力検出手段、脈波検出手段及び血圧値演算手段で血圧値を測定し、測定した血圧値を、血圧測定部とは分離して配置されている血圧情報保管部に無線で送信し、当該血圧情報保管部に記憶することを特徴とする。
【０００８】
具体的には、本発明に係る血圧計は、被検体の一部に装着される血圧測定部と、前記血圧測定部と分離して配置される血圧情報保管部と、を備える血圧計であって、前記血圧測定部は、被検体の一部を押圧するカフと、前記カフが前記被検体の一部を押圧する圧力を増加／減少させる圧力可変手段と、前記カフが前記被検体の一部を押圧する圧力の押圧圧力値を検出する圧力検出手段と、前記被検体の一部の動脈の脈波を検出する脈波検出手段と、前記圧力検出手段の検出する押圧圧力値及び前記脈波検出手段の検出する脈波から血圧値を算出する血圧値演算手段と、前記血圧値演算手段の算出した前記血圧値を血圧情報として無線送信する血圧情報無線送信手段と、を備え、前記血圧情報保管部は、前記血圧情報無線送信手段の無線送信した前記血圧情報を受信する血圧情報無線受信手段と、前記血圧情報無線受信手段の受信した前記血圧情報を記憶する血圧情報記憶手段と、を備える。
【０００９】
本発明により、血圧値の測定に必要なカフ、圧力可変手段、圧力検出手段、脈波検出手段及び血圧値演算手段を血圧測定部に搭載し、血圧値を記憶するための手段は血圧測定部に搭載しないので、被検体に装着する血圧測定部を小型軽量化することができる。また、血圧測定部から、測定結果である血圧値を血圧情報保管部へ無線送信するので、データ容量を小さくすることができる。したがって、血圧測定部を小型軽量化し、かつ、無線送信するデータ容量を小さくすることのできる血圧計を提供できる。
【００１０】
前記血圧値演算手段は、脈拍数をさらに算出し、前記血圧情報が前記脈拍数を含むことが好ましい。
【００１１】
脈波検出手段の検出した脈波を用い、血圧値演算手段で脈拍数を算出すれば、血圧値と共に有用な脈拍数の収集も可能になる。
【００１２】
前記血圧情報保管部は、前記血圧情報記憶手段の記憶した前記血圧情報を表示する表示手段をさらに備えることが好ましい。
【００１３】
血圧情報保管部が表示手段をさらに備えることにより、血圧情報保管部を所持する人は、血圧測定部で測定された血圧値を、被検体に血圧測定部を装着したままリアルタイムで監視することができる。
【００１４】
前記血圧測定部を複数備え、各血圧測定部の前記血圧情報無線送信手段は、当該血圧測定部の前記血圧値演算手段が算出した血圧値を血圧情報として無線送信し、前記血圧情報無線受信手段は、前記血圧情報無線送信手段のそれぞれから無線送信された前記血圧情報を受信し、前記血圧情報記憶手段は、前記血圧情報無線受信手段の受信した前記血圧情報を記憶することが好ましい。
【００１５】
複数の血圧測定部で測定された血圧値を、分離して配置されている１つの血圧情報保管部で記憶することができる。これにより、複数の被検体に対する血圧値の統合管理が可能になる。又は、複数の部位での血圧値の測定が可能になる。
【００１６】
前記血圧測定部は、前記カフ、前記圧力可変手段、前記圧力検出手段、前記脈波検出手段及び前記血圧値演算手段に動作を開始させるタイマーをさらに備えることが好ましい。
【００１７】
カフ、圧力可変手段、圧力検出手段、脈波検出手段及び血圧値演算手段に動作を開始させるタイマーをさらに備えることにより、自動で血圧測定部に血圧値の測定を開始させることができる。
【００１８】
前記血圧情報保管部は、前記カフ、前記圧力可変手段、前記圧力検出手段、前記脈波検出手段及び前記血圧値演算手段に動作を開始させる開始信号を発生させる開始信号発生手段と、前記開始信号発生手段の発生させた前記開始信号を無線送信する開始信号送信手段とをさらに備え、前記血圧測定部は、前記開始信号送信手段の無線送信した前記開始信号を受信する開始信号受信手段をさらに備え、前記開始信号受信手段の受信した前記開始信号により、前記カフ、前記圧力可変手段、前記圧力検出手段、前記脈波検出手段及び前記血圧値演算手段が動作を開始することが好ましい。
【００１９】
開始信号発生手段、開始信号送信手段及び開始信号受信手段をさらに備えることにより、血圧測定部に触れることなく血圧測定部に血圧値の測定を開始させることができる。
【００２０】
前記血圧情報保管部は、前記カフ、前記圧力可変手段、前記圧力検出手段、前記脈波検出手段及び前記血圧値演算手段に動作を停止させる停止信号を発生させる停止信号発生手段と、前記停止信号発生手段の発生させた前記停止信号を無線送信する停止信号送信手段とをさらに備え、前記血圧測定部は、前記停止信号送信手段の無線送信した前記停止信号を受信する停止信号受信手段をさらに備え、前記停止信号受信手段の受信した前記停止信号により、前記カフ、前記圧力可変手段、前記圧力検出手段、前記脈波検出手段及び前記血圧値演算手段が動作を停止することが好ましい。
【００２１】
停止信号発生手段、停止信号送信手段及び停止信号受信手段をさらに備えることにより、血圧測定部に触れることなく血圧測定部に血圧値の測定を停止させることができる。
【００２２】
前記血圧測定部は、前記カフを外耳へ固定する装着機構をさらに備えることが好ましい。
【００２３】
カフを外耳へ固定する装着機構をさらに備えることにより、血圧値を外耳で測定することができる。血圧値を外耳で測定することにより、被検体の姿勢及び動作を制限することなく、継続的な血圧値の測定を可能にすることができる。
【００２４】
本発明に係る血圧計の制御方法は、被検体の一部に装着される血圧測定部と、前記血圧測定部と分離して配置される血圧情報保管部と、を備える血圧計の制御方法であって、前記血圧測定部が、被検体の一部をカフで押圧し、前記カフが前記被検体の一部を押圧する圧力を圧力可変手段で増加／減少させ、前記カフが前記被検体の一部を押圧する圧力の押圧圧力値を圧力検出手段で検出し、前記被検体の一部の動脈の脈波を脈波検出手段で検出し、検出した前記押圧圧力値及び前記脈波から血圧値演算手段で血圧値を算出する血圧値測定手順と、前記血圧測定部が、前記血圧値測定手順で算出した前記血圧値を血圧情報として血圧情報無線送信手段で無線送信する血圧情報無線送信手順と、前記血圧情報保管部が、前記血圧情報無線送信手順で無線送信した前記血圧情報を血圧情報無線受信手段で受信する血圧情報無線受信手順と、前記血圧情報保管部が、前記血圧情報無線受信手順で受信した前記血圧情報を血圧情報記憶手段で記憶する血圧情報記憶手順と、を有する。
【００２５】
本発明により、血圧値の測定に必要なカフ、圧力可変手段、圧力検出手段、脈波検出手段及び血圧値演算手段を血圧測定部に搭載し、血圧値を記憶するための手段は血圧測定部に搭載しないので、被検体に装着する血圧測定部を小型軽量化することができる。また、血圧測定部から、測定結果である血圧値を血圧情報保管部へ無線送信するので、データ容量を小さくすることができる。したがって、血圧測定部を小型軽量化し、かつ、無線送信するデータ容量を小さくすることのできる血圧計の制御方法を提供できる。
【００２６】
また、本発明に係る血圧計の制御方法は、前記血圧情報保管部が、前記カフ、前記圧力可変手段、前記圧力検出手段、前記脈波検出手段及び前記血圧値演算手段に動作を開始させる開始信号を開始信号発生手段で発生させる開始信号発生手順と、前記血圧情報保管部が、前記開始信号発生手順で発生させた前記開始信号を開始信号送信手段で無線送信する開始信号送信手順と、前記血圧測定部が、前記開始信号送信手順で無線送信した前記開始信号を開始信号受信手段で受信する開始信号受信手順と、前記血圧測定部が、前記開始信号受信手順で受信した前記開始信号により、前記カフ、前記圧力可変手段、前記圧力検出手段、前記脈波検出手段及び前記血圧値演算手段に動作を開始させる血圧値測定開始手順と、を前記血圧値測定手順の前にさらに有することが好ましい。
【００２７】
開始信号発生手順、開始信号送信手順、開始信号受信手順及び血圧値測定開始手順をさらに有することにより、血圧測定部に触れることなく任意のタイミングで血圧測定部に血圧値の測定を開始させることができる。
【００２８】
また、本発明に係る血圧計の制御方法は、前記血圧情報保管部が、前記カフ、前記圧力可変手段、前記圧力検出手段、前記脈波検出手段及び前記血圧値演算手段に動作を停止させる停止信号を停止信号発生手段で発生させる停止信号発生手順と、前記血圧情報保管部が、前記停止信号発生手順で発生させた前記停止信号を停止信号送信手段で無線送信する停止信号送信手順と、前記血圧測定部が、前記停止信号送信手順で無線送信した前記停止信号を停止信号受信手段で受信する停止信号受信手順と、前記血圧測定部が、前記停止信号受信手順で受信した前記停止信号により、前記カフ、前記圧力可変手段、前記圧力検出手段、前記脈波検出手段及び前記血圧値演算手段に動作を停止させ、前記血圧値測定手順を停止する血圧値測定停止手順と、をさらに有することが好ましい。
【００２９】
停止信号発生手順、停止信号送信手順、停止信号受信手順及び血圧値測定停止手順をさらに有することにより、血圧測定部に触れることなく任意のタイミングで血圧測定部に血圧値の測定を停止させることができる。
【発明の効果】
【００３０】
本発明によれば、血圧測定部を小型軽量化し、かつ、無線送信するデータ容量を小さくすることのできる血圧計及び血圧計の制御方法の提供が可能になる。
【発明を実施するための最良の形態】
【００３１】
添付の図面を参照して本発明の実施の形態を説明する。以下に説明する実施の形態は本発明の構成の例であり、本発明は、以下の実施の形態に制限されるものではない。
（実施形態１）
図１は、実施形態１に係る血圧計の一例を示す模式図である。実施形態１に係る血圧計９１は、被検体の一部に装着される血圧測定部７１と、血圧測定部７１と分離して配置される血圧情報保管部８１と、を備える血圧計９１であって、血圧測定部７１は、被検体の一部を押圧するカフ１１と、カフ１１が被検体の一部を押圧する圧力を増加／減少させる圧力可変手段１２と、カフ１１が被検体の一部を押圧する圧力の押圧圧力値１を検出する圧力検出手段１３と、被検体の一部の動脈の脈波２を検出する脈波検出手段１４と、圧力検出手段１３の検出する押圧圧力値１及び脈波検出手段１４の検出する脈波２から血圧値３を算出する血圧値演算手段１５と、血圧値演算手段１５の算出した血圧値３を血圧情報４として無線送信する血圧情報無線送信手段１６と、を備え、血圧情報保管部８１は、血圧情報無線送信手段１６の無線送信した血圧情報４を受信する血圧情報無線受信手段２１と、血圧情報無線受信手段２１の受信した血圧情報４を記憶する血圧情報記憶手段２２と、を備える。
【００３２】
血圧測定部７１は、カフ１１、圧力可変手段１２、圧力検出手段１３、脈波検出手段１４及び血圧値演算手段１５に動作を開始させるタイマー１７を含む。血圧測定部７１は、カフ１１、圧力可変手段１２、圧力検出手段１３、脈波検出手段１４及び血圧値演算手段１５を用いて血圧値３を測定することから、説明の便宜上、カフ１１、圧力可変手段１２、圧力検出手段１３、脈波検出手段１４及び血圧値演算手段１５を血圧測定手段７５とした。血圧情報保管部８１は、血圧情報記憶手段２２の記憶した血圧情報４を表示する表示手段２３を含む。
【００３３】
血圧測定部７１は、被検体の一部に装着されるものである。例えば、血圧測定部７１は、カフ１１を外耳へ固定する装着機構をさらに備えることが好ましい。例えば、耳輪又は耳珠を挟持する外耳への装着機構を有するものである。外耳への装着機構は、例えば、耳輪の窪みに掛けるもの、外耳道に挿入するものでもよい。血圧値３を外耳で測定することにより、被検体の姿勢及び動作を制限することなく、継続的な血圧測定を可能にすることができる。
【００３４】
血圧情報保管部８１は、血圧測定部７１と分離して配置されるものである。配置は限定するものではなく、例えば、病院、被検体の自宅、血圧測定部７１の装着される部位とは異なる被検体の一部である。病院又は被検体の自宅などの被検体とは隔離された場所に配置されることが好ましく、これにより記録媒体の取り扱い・管理に注意を払う必要をなくすことができる。
【００３５】
カフ１１は、被検体の一部を押圧するものである。例えば、空気圧により膨張する空気カフ、アクチュエータ等の機械的動力源により変形する機械カフがある。水圧により膨張するものでもよい。
【００３６】
圧力可変手段１２は、カフ１１が前記被検体の一部を押圧する圧力を増加／減少させるものである。例えば、カフ１１が空気カフであれば空気ポンプである。また、カフ１１が機械カフであればアクチュエータである。
【００３７】
圧力検出手段１３は、カフ１１が被検体の一部を押圧する圧力の押圧圧力値１を検出するものである。例えば、カフ１１に加わる圧力の大きさを検出する圧電素子である。カフ１１が空気カフであれば、カフ１１内の気圧を検出する気圧計でもよい。
【００３８】
脈波検出手段１４は、被検体の一部の動脈の脈波２を検出するものである。例えば、動脈での光の吸収／散乱、コロトコフ音、圧脈（心臓の拍動に同調した血管壁の振動）を検出するものである。動脈での光の吸収／散乱を検出するものとしては、発光素子から出射された光による被検体の動脈での散乱光を受光して脈波を検出する受光素子を有するものが例示できる。発光素子は、例えば、ヘモグロビンで吸収される波長や、血管壁で散乱される波長を発光するものである。受光素子は、散乱光を受光するものである。発光素子、受光素子とも複数有してもよく、ドップラーレーダーであってもよい。被検体の動脈での散乱光を受光して脈波を検出することにより、被検体の振動の影響の少ない脈波検出ができる。
【００３９】
血圧値演算手段１５は、押圧圧力値１及び脈波２から血圧値３を算出するものである。例えば、血圧値演算手段１５は、脈波２から脈動波形の振幅を判定し、脈動波形の特定の振幅での押圧圧力値１を収縮期血圧値Ｐ１又は拡張期血圧値Ｐ２とし、血圧値３を算出するものである。
【００４０】
具体的な血圧値演算手段１５の機能について、図２を用いてさらに詳しく説明する。図２は、血圧値の測定例を示すグラフであり、（ａ）は圧力の時間推移、（ｂ）は脈波信号振幅の時間推移を示す。図２（ａ）では、心臓の鼓動による被検体の動脈の周期的な動脈内圧６１と、カフが動脈を押圧する押圧圧力値６２と、が示されている。図２（ｂ）は、脈波検出手段の検出した脈波信号の脈動波形６３が示されている。
【００４１】
圧力可変手段は、動脈の血流が停止する程の圧力Ｐ０が圧力検出手段で検出されるまでカフが押圧する圧力を増加させる。圧力検出手段が圧力Ｐ０を検出したときを時間Ｔ０とした。時間Ｔ０では、図２（ｂ）に示すように、脈波検出手段は脈動波形６３をほとんど検出しない。ここで、圧力Ｐ０は、予め設定された圧力を用いてもよいし、脈波検出手段で脈波が検出されなくなった圧力としてもよい。
【００４２】
圧力可変手段は、時間Ｔ０を境にして、カフが動脈を押圧する圧力６２を徐々に減少させる。脈波検出手段は、時間Ｔ１で図２（ｂ）に示すようなわずかな脈動波形６３を検出する。このとき、圧力検出手段が検出する押圧圧力値６２は、心臓の鼓動により脈動する動脈内圧６１の最高値と等しくなっている。この時間Ｔ１での押圧圧力値６２が収縮期血圧値Ｐ１となる。
【００４３】
脈波検出手段で検出される脈動波形６３の振幅は、時間Ｔ１から徐々に大きくなり、時間Ｔ２で最大となる。この時間Ｔ２での押圧圧力値６２が、動脈内圧６１の拡張期血圧値Ｐ２となる。このようにして、血圧値となる収縮期血圧値Ｐ１及び拡張期血圧値Ｐ２を算出することができる。なお、血圧値を算出する方法は上記に限定されるものではなく、例えば、徐々に押圧圧力値６２を増加させるものでもよい。
【００４４】
図１に示す血圧値演算手段１５は、脈拍数をさらに算出することが好ましい。脈拍数は、単位時間当たりの脈動波形６３のピーク数であるので、脈波検出手段１４の検出した脈波２を用いて血圧値演算手段１５は脈拍数の算出をすることができる。脈拍数は、血圧値と共に重要な生体情報である。血圧値３と共に血圧情報４に含まれることで、血圧情報保管部８１に、より有用な血圧情報を記憶することができる。
【００４５】
血圧値３は、図２で説明したように、例えば、収縮期血圧値Ｐ１、拡張期血圧値Ｐ２である。
【００４６】
血圧情報４は、例えば、血圧値演算手段１５が血圧値３のみを算出するときは血圧値３である。血圧値演算手段１５が脈波検出手段１４の検出する脈波２を用いて脈拍数も算出するときは、血圧情報４は脈拍数を含んでもよい。このように、血圧情報４が、血圧値演算手段１５で算出した血圧測定部７１での測定結果であることで、無線送信するデータ容量を小さくすることができる。なお、血圧情報４は、血圧値演算手段１５で血圧値３が算出された時刻が含まれていてもよい。
【００４７】
血圧情報無線送信手段１６は、血圧値演算手段１５の算出した血圧値３を血圧情報４として血圧情報無線受信手段２１へ無線送信するものである。例えば、電波によって無線送信するもの、光によって無線送信するものがある。
【００４８】
タイマー１７は、カフ１１、圧力可変手段１２、圧力検出手段１３、脈波検出手段１４及び血圧値演算手段１５に動作を開始させるものである。すなわち、血圧測定手段７５に血圧値３の測定を開始させるものである。このようなタイマーをさらに備えることにより、血圧測定部７１は自動で血圧値３の測定を開始することができる。
【００４９】
血圧情報無線受信手段２１は、血圧情報無線送信手段１６の無線送信した血圧情報４を受信するものである。
【００５０】
血圧情報記憶手段２２は、血圧情報無線受信手段２１の受信した血圧情報４を記憶するものである。例えば、ＤＲＡＭ、ＭＲＯＭ等の半導体メモリ、磁気テープ、ハードディスク、光ディスク、ＭＲＡＭ（Ｍａｇｎｅｔｉｃ  Ｒａｎｄｏｍ  Ａｃｃｅｓｓ  Ｍｅｍｏｒｙ）である。
【００５１】
表示手段２３は、血圧情報記憶手段２２の記憶した血圧情報４を表示するものである。例えば、液晶ディスプレイ、有機ＥＬディスプレイ等の表示装置である。血圧情報保管部８１が表示手段２３をさらに備えることにより、血圧情報保管部８１を所持する人は、血圧測定部７１で測定された血圧値３を含む血圧情報４を、被検体に被検体に血圧測定部７１を装着したままリアルタイムで監視することができる。
【００５２】
次に、本実施形態に係る血圧計９１の制御方法について図１を用いて説明する。本実施形態に係る血圧計９１の制御方法は、被検体の一部に装着される血圧測定部７１と、血圧測定部７１と分離して配置される血圧情報保管部８１と、を備える血圧計９１の制御方法であって、血圧測定部７１が、被検体の一部をカフ１１で押圧し、カフ１１が前記被検体の一部を押圧する圧力を圧力可変手段１２で増加／減少させ、カフ１１が記被検体の一部を押圧する圧力の押圧圧力値１を圧力検出手段１３で検出し、前記被検体の一部の動脈の脈波２を脈波検出手段１４で検出し、検出した押圧圧力値１及び脈波２から血圧値演算手段１５で血圧値３を算出する血圧値測定手順と、血圧測定部７１が、前記血圧値測定手順で算出した血圧値３を血圧情報４として血圧情報無線送信手段１６で無線送信する血圧情報無線送信手順と、血圧情報保管部８１が、前記血圧情報無線送信手順で無線送信した血圧情報４を血圧情報無線受信手段２１で受信する血圧情報無線受信手順と、血圧情報保管部８１が、前記血圧情報無線受信手順で受信した血圧情報４を血圧情報記憶手段２２で記憶する血圧情報記憶手順と、を有する。
【００５３】
血圧値測定手順では、血圧測定部７１が、被検体の一部をカフ１１で押圧し、カフ１１で被検体の一部を圧迫しながら、カフ１１の押圧する圧力を圧力可変手段１２で増加／減少させ、カフ１１の押圧する圧力の押圧圧力値１を圧力検出手段１３で検出し、被検体の一部の動脈の脈波２を脈波検出手段１４で検出し、検出した押圧圧力値１及び脈波２から血圧値演算手段１５で血圧値３を算出する。このようにして、血圧測定部７１は、血圧測定手段７５で血圧値３を測定する。
【００５４】
血圧情報無線送信手順では、血圧測定部７１が、血圧値測定手順で算出した血圧値３を血圧情報４として血圧情報無線送信手段１６で無線送信する。血圧情報無線送信手段１６は、血圧値演算手段１５で血圧値３が算出された後に、血圧測定部７１で記憶することなく血圧情報４を無線送信する。これにより、血圧情報保管部８１を所持する人は、被検体に血圧測定部７１を装着したままリアルタイムで血圧値３を含む血圧情報４を監視することができる。血圧情報保管部８１には血圧情報４が記憶されているので、過去の血圧値等の記憶データと比較して分析することができる。
【００５５】
血圧情報無線受信手順では、血圧情報保管部８１が、血圧情報無線送信手順で無線送信した血圧情報４を血圧情報無線受信手段２１で受信する。
【００５６】
血圧情報記憶手順では、血圧情報保管部８１が、血圧情報無線受信手順で受信した血圧情報４を血圧情報記憶手段２２で記憶する。血圧情報無線受信手順において、血圧情報４が複数のデータを含む場合、それらのデータを関連付けて記憶することが好ましい。例えば、血圧値演算手段１５が脈拍数も算出する場合、測定時刻、収縮期血圧値Ｐ１、拡張期血圧値Ｐ２及び脈拍数を関連付けて記憶することが好ましい。また、血圧情報無線受信手段２１又は血圧情報記憶手段２２が血圧情報４を受信した時刻を血圧情報４と関連付けて記憶することが好ましい。
【００５７】
以上説明したように、本実施形態に係る血圧計９１は、血圧の測定に必要なカフ１１、圧力可変手段１２、圧力検出手段１３、脈波検出手段１４及び血圧値演算手段１５を血圧測定部７１に搭載し、血圧値３を記憶するための手段は血圧測定部７１に搭載しない。このように、血圧測定部７１で血圧値３を測定し、測定した血圧値３を血圧測定部７１で記憶せずに血圧測定部７１と分離した血圧情報保管部８１で記憶するので、被検体に装着する血圧測定部７１を小型軽量化することができる。また、血圧測定部７１で測定された直後に血圧値３を血圧情報保管部８１に記憶することができるので、血圧情報保管部８１を所持する人は、被検体に血圧測定部７１を装着したままリアルタイムで血圧値３を含む血圧情報４を監視することができる。さらに、血圧測定部７１から、測定結果である血圧値３を含む血圧情報４として血圧情報保管部８１へ無線送信するので、データ容量を小さくすることができる。これにより、血圧測定部７１での測定結果の無線送信時における外乱ノイズの影響が最小限に抑えられ、かつ被検体への負担を軽減することができる血圧計及び血圧計の制御方法の提供が可能になる。
【００５８】
（実施形態２）
図３は、実施形態２に係る血圧計９２の一例を示す回路図である。実施形態２に係る血圧計９２は、前述の実施形態１で説明した血圧情報保管部８２が、前述の実施形態１で説明した血圧情報保管部８１に加え、カフ１１、圧力可変手段１２、圧力検出手段１３、脈波検出手段１４及び血圧値演算手段１５に動作を開始させる開始信号５を発生させる開始信号発生手段２４と、開始信号発生手段の発生させた開始信号５を無線送信する開始信号送信手段２５と、カフ１１、圧力可変手段１２、圧力検出手段１３、脈波検出手段１４及び血圧値演算手段１５に動作を停止させる停止信号６を発生させる停止信号発生手段２６と、停止信号発生手段の発生させた停止信号６を無線送信する停止信号送信手段２７とを備え、血圧測定部７２が、前述の実施形態１で説明した血圧測定部７１に加え、開始信号送信手段２５の無線送信した開始信号５を受信する開始信号受信手段１８と、停止信号送信手段２７の無線送信した停止信号６を受信する停止信号受信手段１９とを備える。血圧測定部７２は、カフ１１、圧力可変手段１２、圧力検出手段１３、脈波検出手段１４及び血圧値演算手段１５を用いて血圧値３を測定することから、説明の便宜上、カフ１１、圧力可変手段１２、圧力検出手段１３、脈波検出手段１４及び血圧値演算手段１５を血圧測定手段７６とした。
【００５９】
開始信号発生手段２４は、カフ１１、圧力可変手段１２、圧力検出手段１３、脈波検出手段１４及び血圧値演算手段１５に動作を開始させる開始信号５を発生させるものである。例えば、外部からの入力を感知して開始信号５を出力する入力スイッチがある。また、遠隔地にある入力スイッチからの入力信号を感知して開始信号５を出力する受信装置でもよい。受信装置は、赤外線や可視光等の光、電波等を用いた無線によるものでもよいし、光信号又は電気信号等の有線によるものでもよい。無線によるものとしては、開始信号発生手段２４に入力するリモートコントローラが例示でき、リモートコントローラから血圧測定を開始する指示を行なうようにすることもできる。受信装置は、インターネット等の情報通信回線を介して受信するものでもよい。
【００６０】
開始信号送信手段２５は、開始信号５を受信するものである。例えば、前述の実施形態１で説明した血圧情報無線送信手段１６と同様のものを用いることができる。
【００６１】
停止信号発生手段２６は、カフ１１、圧力可変手段１２、圧力検出手段１３、脈波検出手段１４及び血圧値演算手段１５に動作を停止させる停止信号６を発生させるものである。例えば、外部からの入力を感知して停止信号６を出力する入力スイッチがある。また、遠隔地にある入力スイッチからの入力信号を感知して停止信号６を出力する受信装置でもよい。受信装置及び入力スイッチは、前述の開始信号発生手段２４と同様のものを用いることができる。
【００６２】
停止信号送信手段２７は、停止信号６を無線送信するものである。例えば、前述の実施形態１で説明した血圧情報無線送信手段１６と同様のものを用いることができる。
【００６３】
開始信号受信手段１８は、開始信号５を受信するものである。例えば、前述の実施形態１で説明した血圧情報無線受信手段２１と同様のものを用いることができる。
【００６４】
停止信号受信手段１９は、停止信号６を受信するものである。例えば、前述の実施形態１で説明した血圧情報無線受信手段２１と同様のものを用いることができる。
【００６５】
カフ１１、圧力可変手段１２、圧力検出手段１３、脈波検出手段１４及び血圧値演算手段１５は、前述の実施形態１で説明したものと同様のものであるが、以下が異なる。例えば、開始信号受信手段１８の受信した開始信号５により動作を開始する。これにより、血圧測定手段７６は血圧値３の測定を開始する。また、停止信号受信手段１９の受信した停止信号６により動作を停止する。これにより、血圧測定手段７６は血圧値３の測定を停止する。
【００６６】
次に、本実施形態に係る血圧計９２の制御方法について図３を用いて説明する。本実施形態に係る血圧計９２の制御方法は、血圧情報保管部８２が、カフ１１、圧力可変手段１２、圧力検出手段１３、脈波検出手段１４及び血圧値演算手段１５に動作を開始させる開始信号５を開始信号発生手段２４で発生させる開始信号発生手順と、血圧情報保管部８２が、前記開始信号発生手順で発生させた開始信号５を開始信号送信手段２５で無線送信する開始信号送信手順と、血圧測定部７２が、前記開始信号送信手順で無線送信した開始信号５を開始信号受信手段１８で受信する開始信号受信手順と、血圧測定部７２が、前記開始信号受信手順で受信した開始信号５により、カフ１１、圧力可変手段１２、圧力検出手段１３、脈波検出手段１４及び血圧値演算手段１５に動作を開始させる血圧値測定開始手順と、を前記血圧値測定手順の前にさらに有する。
【００６７】
血圧値測定開始手順では、開始信号受信手順で受信した開始信号５が、血圧測定手段７６であるカフ１１、圧力可変手段１２、圧力検出手段１３、脈波検出手段１４及び血圧値演算手段１５に入力される。開始信号５が入力されることにより血圧測定手段７６が測定を開始する。すなわち、前述の実施形態１で説明した前記血圧値測定手順を開始する。血圧値測定手順の後、血圧情報無線送信手順、血圧情報無線受信手順及び血圧情報記憶手順が順に行なわれる。
【００６８】
このように、開始信号発生手順、開始信号送信手順、開始信号受信手順及び血圧値測定開始手順をさらに有することにより、血圧測定部７２に触れることなく任意のタイミングで血圧測定部７２に血圧値３の測定を開始させることができる。
【００６９】
さらに、本実施形態に係る血圧計９２の制御方法は、血圧情報保管部８２が、カフ１１、圧力可変手段１２、圧力検出手段１３、脈波検出手段１４及び血圧値演算手段１５に動作を停止させる停止信号６を停止信号発生手段２７で発生させる停止信号発生手順と、血圧情報保管部８２が、前記停止信号発生手順で発生させた停止信号６を停止信号送信手段２７で無線送信する停止信号送信手順と、血圧測定部７２が、停止信号６を停止信号受信手段１９で受信する停止信号受信手順と、血圧測定部７２が、前記停止信号受信手順で受信した停止信号６により、カフ１１、圧力可変手段１２、圧力検出手段１３、脈波検出手段１４及び血圧値演算手段１５に動作を停止させ、前記血圧値測定手順を停止する血圧値測定停止手順と、をさらに有する。
【００７０】
血圧値測定停止手順では、停止信号受信手段１９で受信した停止信号６が、血圧測定手段７６であるカフ１１、圧力可変手段１２、圧力検出手段１３、脈波検出手段１４及び血圧値演算手段１５に入力される。停止信号６を入力された血圧測定手段７６は、動作を停止する。血圧測定手段７６の動作の停止により、血圧値測定手順を停止する。
【００７１】
このように、停止信号発生手順、停止信号送信手順、停止信号受信手順及び血圧値測定停止手順をさらに有することにより、血圧測定部７２に触れることなく血圧測定部７２に血圧値３の測定を停止させることができる。
【００７２】
以上説明したように、開始信号発生手段２４、開始信号送信手段２５及び開始信号受信手段１８をさらに備えることにより、血圧測定部７２に触れることなく任意のタイミングで血圧測定部７２に血圧値３の測定を開始させることができる。また、停止信号発生手段２６、停止信号送信手段２７及び停止信号受信手段１９をさらに備えることにより、血圧測定部７２に触れることなく血圧測定部７２に血圧値３の測定を停止させることができる。血圧計９２の操作が血圧測定部７２に触れることなく行なえるので、血圧測定部７２を安定して装着し続けることができる。したがって、血圧値３を含む血圧情報４の測定エラーを減少させることができる。
【００７３】
（実施形態３）
図４は、実施形態３に係る血圧計９３の一例を示す回路図である。実施形態３に係る血圧計９３は、血圧測定部を複数備え、各血圧測定部７３ａ、７３ｂ、７３ｃの血圧情報無線送信手段１６ａ、１６ｂ、１６ｃは、血圧測定部７３ａ、７３ｂ、７３ｃの血圧値演算手段１５ａ、１５ｂ、１５ｃが算出した血圧値３ａ、３ｂ、３ｃを血圧情報４ａ、４ｂ、４ｃとして無線送信し、血圧情報無線受信手段２８は、血圧情報無線送信手段１６ａ、１６ｂ、１６ｃのそれぞれから無線送信された血圧情報４ａ、４ｂ、４ｃを受信し、血圧情報記憶手段２２は、血圧情報無線受信手段２８の受信した血圧情報４ａ、４ｂ、４ｃを記憶する。
【００７４】
実施形態３に係る血圧計９３は、血圧測定部を複数備えるが、図４では、３個の血圧測定部７３ａ、７３ｂ、７３ｃと、１個の血圧情報保管部８３とで構成される一例を示した。また、血圧測定部７３ａ、７３ｂ、７３ｃはそれぞれ、前述の実施形態１又は実施形態２で説明した血圧測定部７１又は血圧測定部７２と同様の構成とすることができるが、図４では、血圧値演算手段１５ａ、１５ｂ、１５ｃと血圧情報無線送信手段１６ａ、１６ｂ、１６ｃのみを示した。また、血圧情報保管部８３も、前述の実施形態１又は実施形態２で説明した血圧情報保管部８１又は血圧情報保管部８２と同様の構成とすることができるが、図４では、血圧情報無線受信手段２８及び血圧情報記憶手段２２のみを示した。
【００７５】
血圧計９３の各構成要素は、血圧情報無線送信手段１６ａ、血圧情報無線送信手段１６ｂ、血圧情報無線送信手段１６ｃ及び血圧情報無線受信手段２８を除き、前述の実施形態１及び実施形態２で説明したものと同様のものである。
【００７６】
血圧情報無線送信手段１６ａは、血圧値演算手段１５ａの算出した血圧値３ａを血圧情報４ａとして無線送信するものである。血圧情報無線送信手段１６ｂは、血圧値演算手段１５ｂの算出した血圧値３ｂを血圧情報４ｂとして無線送信するものである。血圧情報無線送信手段１６ｃは、血圧値演算手段１５ｃの算出した血圧値３ｃを血圧情報４ｃとして無線送信するものである。
【００７７】
血圧情報無線送信手段１６ａ、１６ｂ、１６ｃが無線送信する血圧情報４ａ、４ｂ、４ｃは、識別できるものが好ましい。識別できるものとしては、例えば、異なる周波数の無線信号がある。無線信号の位相により識別できるものでもよい。このように、血圧情報４ａ、４ｂ、４ｃが識別できることによって、血圧測定部７３ａ、７３ｂ、７３ｃのいずれで測定された血圧値であるかを識別することができる。
【００７８】
血圧情報無線受信手段２８は、血圧情報無線送信手段１６ａ、１６ｂ、１６ｃの無線送信した血圧情報４ａ、４ｂ、４ｃを受信するものである。例えば、血圧情報無線送信手段１６ａ、１６ｂ、１６ｃが、それぞれ異なる周波数で無線送信する場合は、複数の周波数の無線信号を受信できるものとなる。
【００７９】
なお、上記は血圧測定部が３個の例で説明したが、２個でもよいし、４個以上でもよい。以上説明したように、血圧計９３は、複数の血圧測定部で測定された血圧値を、分離して配置されている１つの血圧情報保管部で記憶することができる。これにより、複数の被検体に対する血圧値の統合管理が可能になる。又は、複数の部位での血圧値の測定が可能になる。
【産業上の利用可能性】
【００８０】
本発明の血圧計は血圧値を被検体の姿勢及び動作を制限することなく、長時間安定して測定することができるので、体調や体の活動状態を知るための手段としての用途にも適用することができる。
【図面の簡単な説明】
【００８１】
【図１】実施形態１に係る血圧計の一例を示す模式図である。
【図２】血圧値の測定例を示すグラフであり、（ａ）は圧力値の時間推移、（ｂ）は脈波信号振幅の時間推移を示す。
【図３】実施形態２に係る血圧計の一例を示す回路図である。
【図４】実施形態３に係る血圧計の一例を示す回路図である。
【符号の説明】
【００８２】
１、６２  押圧圧力値
２  脈波
３  血圧値
４  血圧情報
５  開始信号
６  停止信号
１１  カフ
１２  圧力可変手段
１３  圧力検出手段
１４  脈波検出手段
１５  血圧値演算手段
１６  血圧情報無線送信手段
１７  タイマー
１８  開始信号受信手段
１９  停止信号受信手段
２１、２８  血圧情報無線受信手段
２２  血圧情報記憶手段
２３  表示手段
２４  開始信号発生手段
２５  開始信号送信手段
２６  停止信号発生手段
２７  停止信号送信手段
６１  動脈内圧
６２  押圧圧力値
６３  脈動波形 
７１、７２、７３  血圧測定部
７５、７６  血圧測定手段
８１、８２、８３  血圧情報保管部
９１、９２、９３  血圧計
【図１】
2007014571.tif 000003
【図２】
2007014571.tif 000004
【図３】
2007014571.tif 000005
【図４】
2007014571.tif 000006